【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
需要応答事象を管理するためにユーティリティ会社によって使用されるユーティリティポータルインターフェイスであって、
需要応答プログラムに参加するために登録された各エネルギー消費者に対してユーティリティオペレータが少なくとも１つのパラメータを割り当てることを可能にするように動作可能な顧客管理モジュールを備え、前記少なくとも１つのパラメータは各エネルギー消費者と複数のグループのうちの少なくとも１つとを関連付け、ユーティリティポータルインターフェイスはさらに、
スケジューリングモジュールを備え、前記スケジューリングモジュールは、
未来の需要応答事象の少なくとも１つの属性をユーティリティオペレータが定義することを可能にするよう動作可能であり、前記少なくとも１つの属性は、前記未来の需要応答事象が開始される日付、需要応答事象期間、および前記未来の需要応答事象に含まれる可能性についての前記エネルギー消費者のグループのうちの少なくとも１つの識別のうち、少なくとも１つを含み、前記スケジューリングモジュールはさらに、
前記識別されたグループのうちの少なくとも１つに関連付けられた情報を表示するよう動作可能であり、前記情報は、前記識別されたグループを前記未来の需要応答事象に含むことができるかどうかについての表示を含み、前記スケジューリングモジュールはさらに、
前記未来の需要応答事象への参加のために利用可能な識別されたグループのうちの少なくとも１つを前記ユーティリティオペレータが選択的に含めることを可能にするよう動作可能である、ユーティリティポータルインターフェイス。
【請求項２】
前記スケジューリングモジュールは、前記グループのうちの特定の１つを所定の期間内に未来の需要応答事象に含むことができる回数を限定するようにさらに動作可能である、請求項１に記載の前記ユーティリティポータルインターフェイス。
【請求項３】
前記スケジューリングモジュールは、前記ユーティリティオペレータが前記未来の需要応答事象についての要求を提出しなければならない提出期限を課すようにさらに動作可能である、請求項１または２に記載の前記ユーティリティポータルインターフェイス。
【請求項４】
前記スケジューリングモジュールは、ユーティリティ操作パラメータ領域を含み、前記ユーティリティ操作パラメータ領域は、
前記ユーティリティオペレータがエネルギー生成容量およびエネルギー需要プロフィールのうちの少なくとも１つを入力することを可能にするように動作可能である、および
前記エネルギー生成容量および前記エネルギー需要プロフィールのうちの少なくとも１つについての図的表現を含むグラフを表示するように動作可能である、請求項１から３のいずれか１項に記載の前記ユーティリティポータルインターフェイス。
【請求項５】
前記グラフは、需要応答エネルギープロフィールの図的表現をさらに含み、前記需要応答エネルギープロフィールの図的表現は、各選択的に含まれたグループが前記ユーティリティオペレータによって含められると動的に更新される、請求項４に記載の前記ユーティリティポータルインターフェイス。
【請求項６】
前記スケジューリングモジュールは、稼働中の需要応答事象を表示するようさらに動作可能であり、各表示される稼働中の需要応答事象は、前記稼働中の需要応答事象に関わる家屋制御ユニットに関連付けられたグループ識別情報、日付および事象期間情報、ならびに統計情報を識別する情報を含む、請求項１から５のいずれか１項に記載の前記ユーティリティポータルインターフェイス。
【請求項７】
前記統計情報は、前記未来の需要応答事象に対応する信号の受け取りに成功した顧客家屋制御ユニットの確認統計を含む、請求項６に記載のユーティリティポータルインターフェイス。
【請求項８】
前記確認統計は、リアルタイムおよび周期的のいずれか一方で更新される、請求項７に記載の前記ユーティリティポータルインターフェイス。
【請求項９】
前記スケジューリングモジュールは、以前に実施された需要応答事象を表示するようにさらに動作可能であり、各表示される以前に実施された需要応答事象は、前記稼働中の需要応答事象に関わる家屋制御ユニットに関連付けられたグループ情報、日付および事象期間情報、ならびに統計情報を識別する情報を含む、請求項１に記載のユーティリティポータルインターフェイス。
【請求項１０】
前記統計情報は、前記未来の需要応答事象に対応する信号の受け取りに成功した顧客家屋制御ユニットについての確認統計を含む、請求項９に記載のユーティリティポータルインターフェイス。
【請求項１１】
前記需要応答事象期間は、既に定義された固定継続期間およびユーザー定義可能な継続期間のうちの１つを有する、請求項１から１０のいずれか１項に記載の前記ユーティリティポータルインターフェイス。
【請求項１２】
前記スケジューリングモジュールはさらに、
前記未来の需要応答期間事象に含まれる可能性について識別された各グループについての統計情報の合計を表示するように動作可能であるとともに、
前記未来の需要応答事象に各識別されたグループを含むために前記ユーティリティオペレータによって選択可能な対話式需要応答要求ボタンを表示するように動作可能である、請求項１から１１のいずれか１項に記載の前記ユーティリティポータルインターフェイス。
【請求項１３】
前記少なくとも１つのパラメータは、前記需要応答プログラムへの参加の承認ステータスおよび前記需要応答プログラムへの参加の非承認ステータスのうちの１つを含み、各エネルギー消費者は、前記承認ステータスおよび非承認ステータスのうちの１つが割り当てられる、請求項１から１２のいずれか１項に記載の前記ユーティリティポータルインターフェイス。
【請求項１４】
各エネルギー消費者へ割り当てられる前記パラメータは、ネットワーク制御サーモスタットのそれぞれの個体群によって制御される環境冷房システムを含む構造の個体群と通信するエネルギー管理システムに提供され、前記構造の個体群の部分集合は、前記需要応答プログラムへの参加のために登録された前記エネルギー消費者を含む、請求項１から１３のいずれか１項に記載の前記ユーティリティポータルインターフェイス。
【請求項１５】
前記顧客管理モジュールはさらに、
エネルギー管理システムからデータをダウンロードするよう動作可能であり、前記データは、前記需要応答プログラムへの参加のために登録された複数のエネルギー消費者についての情報を含み、前記顧客管理モジュールはさらに、
前記複数のエネルギー消費者のうちの少なくとも１つについての前記データを前記ユーティリティオペレータが変更できるように動作可能であるとともに、
前記エネルギー管理システムに前記データをアップロードするよう動作可能である、請求項１から１４のいずれか１項に記載の前記ユーティリティポータルインターフェイス。
【請求項１６】
前記データが前記エネルギー管理システムにアップロードされた後、前記顧客管理モジュールは、サマリー情報を表示するようさらに動作可能である、請求項１５に記載の前記ユーティリティポータルインターフェイス。
【請求項１７】
ユーティリティポータルを使用してユーティリティ会社が需要応答事象を要求することを可能にするための方法であって、前記ユーティリティポータルは、ネットワーク接続サーモスタットのそれぞれの個体群によって制御される環境冷房システムを有する構造の個体群についての需要応答事象を管理するエネルギー管理システムによってホスティングされ、前記方法は、
需要応答要求についての複数のパラメータを前記ユーティリティ会社が特定することを可能にするパラメータ取得要素を、前記ユーティリティポータルのパラメータ定義領域に表示するステップを備え、前記複数のパラメータは、エネルギー減少量、日付、および期間を含み、方法はさらに、
前記エネルギー減少量、前記日付、および前記期間を特定するパラメータデータを前記ユーティリティ会社から受け取るステップと、
前記受け取ったパラメータデータに基づいて需要応答解決法についての要求を受け取るステップと、
前記受け取った要求に応答して前記需要応答解決法を前記ポータルの解決法領域に表示するステップと、
前記需要応答解決法に基づいて需要応答事象を実行するための確認を前記ユーティリティ会社から受け取るステップとを備える、方法。
【請求項１８】
前記需要応答解決法は、前記エネルギー管理システムによって判定される、請求項１７に記載の方法。
【請求項１９】
前記需要応答解決法は、提案されたエネルギー減少量、提案された日付、および提案された期間を含む、請求項１７または１８に記載の方法。
【請求項２０】
前記需要応答解決法はさらに、前記需要応答事象に参加することが可能なエネルギー顧客の少なくとも１つのグループを識別し、前記方法は、前記確認前に前記グループのうちの少なくとも１つを前記ユーティリティ会社が選択的に取り除くことを可能にするステップをさらに備える、請求項１９に記載の方法。
【請求項２１】
前記解決法領域に表示される前記提案されたエネルギー減少量は、前記ユーティリティ会社が前記少なくとも１つのグループを取り除いた場合に動的に変化する、請求項２０に記載の方法。
【請求項２２】
ユーティリティポータルを使用してユーティリティ会社が需要応答事象を要求することを可能にするための方法であって、前記ユーティリティポータルは、ネットワーク接続サーモスタットのそれぞれの個体群によって制御される環境冷房システムを有する構造の個体群について需要応答事象を管理するエネルギー管理システムによってホスティングされ、前記方法は、
少なくともスケジュールモジュールと提案モジュールとを含む複数の選択可能モジュールを表示するステップを備え、前記提案モジュールは、提案された需要応答事象の数を示す通知要素を含み、各提案された需要応答事象は、前記ネットワーク接続サーモスタットの個体群のそれぞれの下位集合に対応付けられ、方法はさらに、
前記提案モジュールの選択の受け取りに応答して、少なくとも１つの提案された需要応答事象を前記ユーティリティポータルの提案領域に表示するステップを備え、各提案された需要応答事象は事象特定情報を含み、方法はさらに、
前記ユーティリティ会社が前記表示された提案された需要応答事象のうちの少なくとも１つを選択することを可能にするステップと、
各選択された提案された需要応答事象を開始する命令を受け取るステップとを備える、
方法。
【請求項２３】
前記事象特定情報は、日付と事象期間とを含む、請求項２２に記載の方法。
【請求項２４】
前記事象特定情報は、適用可能な事象時間間隔外のエネルギー使用の移行に関連付けられた節約情報を含む、請求項２２または２３に記載の方法。
【請求項２５】
前記エネルギー管理システムは、前記提案された需要応答事象を生成する、請求項２２から２４のいずれか１項に記載の方法。
【請求項２６】
前記エネルギー管理システムは、各選択された提案された需要応答事象を、これに関連付けられたそれぞれのサブグループにおける前記ネットワーク接続サーモスタットの各々と通信することによって実行する、請求項２５に記載の方法。
【請求項２７】
請求項１７から２６のうちのいずれか１項に記載の方法をコンピュータに実行させるためのプログラム。